(57)【特許請求の範囲】
【請求項１】
撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材に嵌合される外形形状とを備えた光学部材と、
前記光学部材を光軸方向に所定の押圧力で付勢して、前記基板或いは前記撮像素子に前記光学部材を当接させる押圧部材と、を備えた撮像装置であって、
前記光学部材と、前記外枠部材とが嵌合する嵌合部位に、前記光軸を中心とする前記光学部材の回転を防止する回転止機構を備えたことを特徴とする撮像装置。
【請求項２】
撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材の内側に嵌合される外形形状とを備えた光学部材と、
前記光学部材を光軸方向に所定の押圧力で付勢して、前記基板或いは前記撮像素子に前記脚部を当接させる押圧部材と、を備えた撮像装置であって、
前記光学部材における前記外枠部材と嵌合する嵌合部位が、光軸と垂直な方向において円の外周の２点を結ぶ線によって切り欠かかれた略Ｄ字形状となっていることを特徴とする撮像装置。
【請求項３】
撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材に嵌合される外形形状を備えた光学部材と、
前記光学部材を光軸方向に所定の押圧力で付勢して、前記基板或いは前記撮像素子に当接させる押圧部材と、を備えた撮像装置であって、
前記光学部材と前記外枠部材とが当接する当接部位と、前記光学部材と前記外枠部材とが嵌合する嵌合部位と、
前記嵌合部位に設けられ、前記光軸を中心とする前記光学部材の回転を防止する回転止機構と、
を備えたことを特徴とする撮像装置。
【請求項４】
撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材の内側に嵌合される外形形状とを備えた光学部材と、
前記光学部材を光軸方向に所定の押圧力で付勢して、前記基板或いは前記撮像素子に前記脚部を当接させる押圧部材と、を備えた撮像装置であって、
前記光学部材と前記外枠部材とが当接する当接部位と、前記光学部材と前記外枠部材とが嵌合する嵌合部位と、を備え、
前記光学部材における前記嵌合部位が、光軸と垂直な方向において円の外周の２点を結ぶ線によって切り欠かかれた略Ｄ字形状となっていることを特徴とする撮像装置。
【請求項５】
前記光学部材が前記外枠部材に光軸を中心として回動可能に当接され、
前記嵌合部位は、前記当接部位よりも前記レンズ部に近い位置に設けられていることを特徴とする請求項３または４記載の撮像装置。
【請求項６】
前記嵌合部位の外径は、前記当接部位の外径よりも大きいことを特徴とする請求項３〜５の何れかに記載の撮像装置。
【請求項７】
前記回転止機構は、
前記光学部材側に設けられ、前記外枠部材に向かって突出する突出部と、
前記外枠部材側に設けられ、前記突出部と嵌合する溝部と、
を備えたことを特徴とする請求項１または３記載の撮像装置。
【請求項８】
前記回転止機構は、
前記光学部材側に設けられる溝部と、
前記外枠部材に設けられ、前記溝部と嵌合する突出部と、
を備えたことを特徴とする請求項１または３記載の撮像装置。
【請求項９】
前記突出部は、下方に向かって幅狭のテーパ形状を有し、前記溝部は前記突出部のテーパに対応した形状となっていることを特徴とする請求項７記載の撮像装置。
【請求項１０】
前記外枠部材に取り付けられ、前記押圧部材に所定の押圧力を作用させて固定するカバー部材を備えたことを特徴とする請求項１〜９の何れかに記載の撮像装置。
【請求項１１】
前記カバー部材と前記押圧部材とが一体化されていることを特徴とする請求項１０記載の撮像装置。
【発明の詳細な説明】
【０００１】
【発明の属する技術分野】
本発明は、携帯電話やパーソナルコンピュータなどに設置可能な撮像装置に関する。
【０００２】
【従来の技術】
近年、撮像装置の高性能化、小型化に伴い、撮像装置を備えた携帯電話やパーソナルコンピュータが普及しつつある。
【０００３】
このような従来の撮像装置の一例を図１３に示す。図１３の撮像装置１００は、ガラスエポキシ製の基板ＰＣ上に、撮像素子１１０が配置され、上面の端子（不図示）から多数のワイヤＷで、基板ＰＣの裏面に配置された画像処理ＩＣ回路１１１に接続されている。
【０００４】
撮像素子１１０を覆うようにして、第１筐体１０１が配置され、その上に第２筐体１０２が載置されて、ボルト１０３で基板ＰＣに対して共締めされている。第１筐体１０１と第２筐体１０２との間には、赤外線カットフィルタ１０４が配置されている。
【０００５】
第２筐体１０２の上部は円筒状となっており、その内面に形成された雌ねじ１０２ａに雄ねじ１０５ａを螺合させることで、レンズ１０６を内包するレンズ鏡筒１０５が、第２筐体１０２に対し光軸方向の位置を調整可能に取り付けられている。レンズ鏡筒１０５は、上部に絞り部１０５ｂを形成している。
【０００６】
【発明が解決しようとする課題】
しかしながら、このような従来の撮像装置は、多数の部品からなるため、製造コストの問題もさることながら、これら多数の小型の部品の組み付けに手間取ると共に、組み付け時には、レンズ鏡筒１０５を回転させつつ撮像素子１１０とレンズ１０６との光軸方向の相対位置調整を行う必要もある。
【０００７】
また、レンズ鏡筒１０５は回転可能となっているため、撮像素子１１０とレンズ１０６との相対位置調整後に振動などによりレンズ鏡筒１０５が回転しまうと、集光位置がずれてしまうという問題がある。
【０００８】
本発明の課題は、、レンズの三軸方向の位置決めを精度よく、且つ容易に行うことができる撮像装置を提供することを目的とする。
【０００９】
【課題を解決するための手段】
上記課題を解決するため、
請求項１記載の発明は、撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材に嵌合される外形形状を備えた光学部材と、
前記光学部材を光軸方向に所定の押圧力で付勢して、前記基板或いは前記撮像素子に前記光学部材を当接させる押圧部材と、を備えた撮像装置であって、
前記光学部材と、前記外枠部材とが嵌合する嵌合部位に、前記光軸を中心とする前記光学部材の回転を防止する回転止機構を備えたことを特徴とする。
【００１０】
請求項１記載の発明によれば、光学部材は、押圧部材により所定の押圧力で付勢されて、基板或いは撮像素子に直接当接されるので、撮像装置の各構成部材の寸法精度を安定させて組み付けることにより、レンズ部の光軸方向の合焦位置を調整することができ、組み付け時および組み付け後に、レンズ部の光軸方向の合焦位置に関する調整を不要とすることができる。更に、光学部材と、外枠部材とが嵌合する嵌合部位に設けられた回転止機構により、レンズ部の回転方向の位置決めがなされるとともに、レンズ部が回転することを防止できる。
従って、レンズの三軸方向の位置決めを精度よく、且つ容易に行うことができる。
【００１１】
請求項２記載の発明は、撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材の内側に嵌合される外形形状を備えた光学部材と、
前記光学部材を光軸方向に所定の押圧力で付勢して、前記基板或いは前記撮像素子に前記脚部を当接させる押圧部材と、を備えた撮像装置であって、
前記外枠部材における前記外枠部材と嵌合する嵌合部位が、光軸と垂直な方向において円の外周の２点を結ぶ線によって切り欠かかれた略Ｄ字形状となっていることを特徴とする。
【００１２】
請求項２記載の発明によれば、光学部材は、押圧部材により所定の押圧力で付勢されて、基板或いは撮像素子に直接当接されるので、撮像装置の各構成部材の寸法精度を安定させて組み付けることにより、レンズ部の光軸方向の合焦位置を調整することができ、組み付け時および組み付け後に、レンズ部の光軸方向の合焦位置に関する調整を不要とすることができる。更に、光学部材と、外枠部材とが嵌合する嵌合部位が光軸と垂直な方向において円の外周の２点を結ぶ線によって切り欠かかれた略Ｄ字形状となっているので、レンズ部の回転方向の位置決めがなされるとともに、レンズ部が回転することを防止できる。
従って、レンズの三軸方向の位置決めを精度よく、且つ容易に行うことができる。
【００１３】
請求項３記載の発明は、撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材に嵌合される外形形状を備えた光学部材と、
前記光学部材を光軸方向に所定の押圧力で付勢して、前記基板或いは前記撮像素子に当接させる押圧部材と、を備えた撮像装置であって、
前記光学部材と前記外枠部材とが当接する当接部位と、前記光学部材と前記外枠部材とが嵌合する嵌合部位と、
前記嵌合部位に設けられ、前記光学部材の光軸を中心とする回転を防止する回転止機構と、
を備えたことを特徴とする。
【００１４】
請求項３記載の発明によれば、光学部材は、押圧部材により所定の押圧力で付勢されて、基板或いは撮像素子に直接当接されるので、撮像装置の各構成部材の寸法精度を安定させて組み付けることにより、レンズ部の光軸方向の合焦位置を調整することができ、組み付け時および組み付け後に、レンズ部の光軸方向の合焦位置に関する調整を不要とすることができる。更に、光学部材と、外枠部材とが嵌合する嵌合部位に設けられた回転止機構により、レンズ部の回転方向の位置決めがなされるとともに、レンズ部が回転することを防止できる。
従って、レンズの三軸方向の位置決めを精度よく、且つ容易に行うことができる。
また、特に、当接部位により光学部材と外枠部材とが当接されて位置規制された状態で、更に嵌合部位により光学部材と外枠部材とが嵌合されるので、よりレンズの三軸方向の位置決めを精度よく行うことができる。
【００１５】
請求項４記載の発明は、撮像素子を備えた基板と、
前記基板上に固着され、少なくとも前記撮像素子を掩蔽する外枠部材と、
前記撮像素子の受光面に被写体像を結像させるレンズ部と、前記レンズ部を支持するとともに、前記外枠部材の内側に嵌合される外形形状を備えた光学部材と、
前記光学部材を光軸方向に所定の押圧力で付勢して、前記基板或いは前記撮像素子に前記脚部を当接させる押圧部材と、を備えた撮像装置であって、
前記光学部材と前記外枠部材とが当接する当接部位と、前記光学部材と前記外枠部材とが嵌合する嵌合部位と、を備え、
前記嵌合部位が、光軸と垂直な方向において円の外周の２点を結ぶ線によって切り欠かかれた略Ｄ字形状となっていることを特徴とする。
【００１６】
請求項４記載の発明によれば、光学部材は、押圧部材により所定の押圧力で付勢されて、基板或いは撮像素子に直接当接されるので、撮像装置の各構成部材の寸法精度を安定させて組み付けることにより、レンズ部の光軸方向の合焦位置を調整することができ、組み付け時および組み付け後に、レンズ部の光軸方向の合焦位置に関する調整を不要とすることができる。更に、光学部材と、外枠部材とが嵌合する嵌合部位が光軸と垂直な方向において円の外周の２点を結ぶ線によって切り欠かかれた略Ｄ字形状となっているので、レンズ部の回転方向の位置決めがなされるとともに、レンズ部が回転することを防止できる。
従って、レンズの三軸方向の位置決めを精度よく、且つ容易に行うことができる。
また、特に、当接部位により光学部材と外枠部材とが当接されて位置規制された状態で、更に嵌合部位により光学部材と外枠部材とが嵌合されるので、よりレンズの三軸方向の位置決めを精度よく行うことができる。
【００１７】
請求項５記載の発明は、請求項３または４記載の撮像装置において、
前記光学部材が前記外枠部材に光軸を中心として回動可能に当接され、
前記嵌合部位は、前記当接部位よりも前記レンズ部側に設けられていることを特徴とする。
【００１８】
請求項５記載の発明によれば、嵌合部位は、当接部位よりもレンズ部側に設けられているので、外枠部材に光学部材を上方から挿入して組み立てる場合に、最初に当接部位が当接され、その後に嵌合部位が嵌合されることとなる。従って、外枠部材が当接部位に挿入された状態では、回転方向の自由度があるため、組立作業がしやすい。
【００１９】
請求項６記載の発明は、請求項３〜５の何れかに記載の発明において、前記嵌合部位の外径は、前記当接部位の外径よりも大きいことを特徴とする。
【００２０】
請求項６記載の発明によれば、嵌合部位の外径は、当接部位の外径よりも大きいので、外枠部材に光学部材を嵌合させた後、外枠部材を基板に接着するようにしても光学部材が抜け落ちることがない。
【００２１】
請求項７記載の発明は、請求項１または３記載の撮像装置において、
前記回転止機構は、
前記光学部材側に設けられ、前記外枠部材に向かって突出する突出部と、
前記外枠部材側に設けられ、前記突出部と嵌合する溝部と、
を備えていることを特徴とする。
請求項７記載の発明によれば、光学部材側に設けられ、外枠部材に向かって突出する突出部と、外枠部材側に設けられ、突出部と嵌合する溝部と、により回転止機構が構成されているので、確実に光学部材の回転を防止することができる。
【００２２】
請求項８記載の発明は、請求項１または３記載の撮像装置において、
前記回転止機構は、
前記光学部材側に設けられる溝部と、
前記外枠部材に設けられ、前記溝部と嵌合する突出部と、
を備えていることを特徴とする。
【００２３】
請求項８記載の発明によれば、光学部材側に設けられる溝部と、外枠部材に設けられ、溝部と嵌合する突出部と、により回転止機構が形成されているので、確実に光学部材の回転を防止できる。
【００２４】
請求項９記載の発明は、請求項７記載の撮像装置において、
前記突出部は、下方に向かって幅狭のテーパ形状を有し、前記溝部は前記突出部のテーパに対応した形状となっていることを特徴とする。
【００２５】
請求項９記載の発明によれば、突出部は、下方に向かって幅狭のテーパ形状を有し、溝部は前記突出部のテーパに対応した形状となっているので、より回転止めの位置決め精度を向上できる。
【００２６】
請求項１０記載の発明は、請求項１〜９の何れかに記載の撮像装置において、前記外枠部材に取り付けられ、前記押圧部材に所定の押圧力を作用させて固定するカバー部材を備えたことを特徴とする。
【００２７】
請求項１０記載の発明によれば、カバー部材により押圧部材に所定の押圧力が作用されるので、光学部材と、撮像素子との光軸方向の位置決めが容易であるにもかかわらず、経時変化により部品に反りなどの変形が生じたような場合にも、安定した弾性力で、光学部材を撮像素子に対して付勢することができ、それにより振動が生じた際における光学部材のガタつきを抑えることができ、しかも衝撃が生じた際に、内側に回路が配置された撮像素子の処理部２ｂに過大なストレスを生じさせることがない。
【００２８】
請求項１１記載の発明は、請求項１０記載の撮像装置において、
前記カバー部材と前記押圧部材とが一体化されていることを特徴とする。
【００２９】
請求項１１記載の発明によれば、カバー部材と押圧部材とが一体化されているので、組立工数を削減することができる。
【００３０】
【発明の実施の形態】
〔第１の実施の形態〕
以下、図を参照して本発明の実施の形態を詳細に説明する。
【００３１】
〔第１の実施の形態〕
図１は、本発明にかかる撮像装置の断面図である。図２は、図１の撮像装置の斜視図である。図３は、光学部材１の斜視図であり、図４は、光学部材の下面図である。図５は、図１のＶ−Ｖ要部の断面図である。図６は、撮像素子の
上面図である。
【００３２】
撮像装置１０は、図１、図２に示すように、基板ＰＣと、光学部材１、撮像素子２、絞り板３、鏡枠４、遮光板５、フィルタ６、押圧部材７、位置決め電気部品８、およびその他基板ＰＣに配置された電気部品９などにより構成されている。
【００３３】
光学部材１は、透明なプラスチック材料を素材とし、図３、４図に示すように、管状の脚部１ｃと、この脚部１ｃに支持される凸レンズ形状のレンズ部１ａとが一体的に形成されている。脚部１ｃは、下端に形成された４つの当接部１ｄと、上端周囲に形成された上脚部１ｅと、上端を塞ぐ板状の上面部１ｂと、当接部１ｄと上脚部１ｅとの間に形成された下脚部１ｆとを備え、上面部１ｂの中央にレンズ部１ａが形成されている。
下脚部１ｆは、光軸に対して垂直な断面視において円の外周の２点を結ぶ線（弦）によって切り欠かかれた略Ｄ字形状となっている。
また、上面部１ｂの上面であって、レンズ部１ａの周囲には、遮光性のある素材からなり、凸レンズ部１ａのＦナンバーを規定する第１の絞りとしての開口３ａを有する絞り板３が接着剤Ｂにより固定されている。
【００３４】
光学部材１の外側には、遮光性のある素材からなる外枠部材としての鏡枠４が配置されている。
鏡枠４には、図２から明らかなように、角柱状の下部４ａと、円筒状の上部４ｂとが設けられている。下部４ａの下端部は、基板ＰＣ上に鏡枠４が取り付けられる際の接着部位となる箇所であって、図１に示すように、鏡枠４の内側面と外側面とにおいて、側面から底面４ａａに向かって所定の角度で切り欠かれ、傾斜面を有する切欠部４ａｂ、４ａｂが形成されている。鏡枠４の下部４ａが基板ＰＣ上に当接され取り付けられる際には、底面４ａａおよび切欠部４ａｂ、４ａｂと、基板ＰＣとの間に接着剤Ｂが塗布され、固着される。
【００３５】
鏡枠４の隔壁４ｃの円形内周面には、図５に示すように、光学部材１の下脚部１ｆに対応したＤ溝４ｃ１が設けられており、このＤ溝４ｃ１に下脚部１ｆが密着的に嵌合している。従って、基板ＰＣと鏡枠４とを、例えば自動組立機に備えられた光学センサなどを用いて隔壁４ｃの円形開口部中心と、後述する撮像素子２の光電変換部２ａの中心を一致させるように位置決め配置するだけで、光電変換部２ａに対してレンズ部１ａを、光軸直交方向に精度よく位置決めすることができる。
【００３６】
一方、鏡枠４の上部４ｂの上端には、遮光板５が接着剤Ｂにより取り付けられている。遮光板５は、その中央に第２の絞りとしての開口５ａを有している。遮光板５の中央の開口５ａの下方に、赤外線吸収特性を有する素材からなるフィルタ６が接着剤Ｂにより接合されている。
そして、この遮光板５とフィルタ６とでカバー部材１１を構成する。このように、基板ＰＣと鏡枠４とカバー部材１１とが密着し接合しているので、撮像装置１０は、防塵、防湿の構造を有する。
【００３７】
図１において、光学部材１と、遮光板４との間には、例えば、コイルばねなどの弾性部材により構成された押圧部材７が配置されている。遮光板５が鏡枠４に取り付けられることで、遮光板５が押圧部材７を押圧して、押圧部材７が弾性変形する。この押圧部材７は、光学部材１を図１中、下方に向かって所定の押圧力により押圧して、光学部材１を撮像素子２に付勢する。ここで、遮光板４から下方の撮像素子２に向かう力が加わった際、押圧部材７が弾性変形することにより、その力を吸収する緩衝作用が働くので、その力は直接撮像素子２には伝達されず、撮像素子２が破損することを防止できるようになっている。
【００３８】
図５において、撮像素子２は、例えば、ＣＭＯＳ型イメージセンサからなる。矩形薄板状の撮像素子２の下面は、基板ＰＣの上面に取り付けられている。撮像素子２の上面中央には、画素が２次元的に配列され、受光面を有する光電変換部２ａが形成されている。その外側に処理部２ｂが形成されており、処理部２ｂの外縁近傍には、複数のパッド２ｃが配置されている。結線用端子であるパッド２ｃは、図１に示すようにワイヤＷを介して基板ＰＣに接続されている。ワイヤＷは、基板ＰＣ上の所定の回路に接続されている。
【００３９】
更に、光学部材１の当接部１ｄは、図４に示すような形状で、脚部１ｃの下端から突き出し、脚部１ｃの一部を構成してなる。本実施の形態においては、図６の撮像素子２上に破線に示すように、光学部材１は、撮像素子２の処理部２ｂに当接部１ｄのみが当接した状態で配置されることとなる。従って、面平面度に関しては、当接部１ｄの下面のみ所定範囲に維持されれば足りる。又、当接部１ｄは４本であって、光学部材１の重心はその中央に来るため、光学部材１を単体で平面に載置したときに、レンズ部１ａの光軸が平面に対して直交するような位置と形状とを有していると言える。従って、鏡枠３内周面と光学部材１の外周面とが嵌合する嵌合部位に多少スキマがあったとしても、撮像素子２の処理部２ｂに当接部１ｄを当接させたときに、撮像素子２の光電変換部２ａに対して光軸が直交し、よりひずみの少ない画像を得ることができる。
【００４０】
ここで、当接部１ｄからの荷重は５００ｇ以下（但し、面圧で１０００ｇ／ｍｍ2以下）であることが好ましい。この荷重（面圧）を越えると、撮像素子２にダメージが付与される恐れがあるからである。但し、振動などによる画像のブレを考慮すると、当接部１ｄからの荷重は、５ｇ以上であることが望ましい。かかる荷重は、押圧部材７であるコイルばねの線径・巻数などを選択することにより、適切に管理することができる。ここで、面圧とは、光学部材の当接部１ｄを介して撮像素子２に加えられる荷重を、その当接部１ｄが当接されているレンズ部１ａに向いた面の面積で割ったものである。
【００４１】
本実施の形態によれば、当接部１ｄが、撮像素子２の処理部２ｂに当接した状態で、光学部材１の上脚部１ｅの下面と、鏡枠４の下部４ａの隔壁４ｃとの間には、スキマΔが形成されるようになっているので、レンズ部１ａと撮像素子２の光電変換部２ａとの距離Ｌ（即ち光軸方向の位置決め）は、脚部１ｃの長さにより精度よく設定されるようになっている。本実施の形態では、４ヶ所の当接部１ｄを設けてはいるが、１ヶ所乃至３ヶ所でもよい。また、パッド２ｃとの干渉が回避できるのであれば、光学部材１の円筒状の脚部１ｃに沿った、輪帯状の当接部であってもよい。
【００４２】
又、光学部材１をプラスチック材料で構成しているので、温度変化時のレンズ部１ａの屈折率変化に基づく合焦位置のずれを低減することも可能である。すなわち、プラスチックレンズは温度が上昇するにつれて、レンズの屈折率が下がり、合焦位置がレンズから離れる方向に変化する。一方、脚部１ｃは温度上昇により伸びるため、合焦位置ずれの低減効果がある。尚、本実施の形態の光学部材１は、比重が比較的軽いプラスチック材料からなるので、同一体積でもガラスに比べて軽量であり、かつ衝撃吸収特性に優れるため、撮像装置１０を誤って落としたような場合でも、撮像素子２の破損を極力抑制できるという利点がある。
【００４３】
又、光学部材１が鏡枠４の中で任意に回転できる構造であると、当接部１ｄがパッド２ｃと干渉してしまうので、光学部材１の回転が規制されながら組み付けられる回転止機構が設けられている。
回転止機構は、具体的には、図５に示すように、鏡枠と嵌合する嵌合部位である略Ｄ字形状の下脚部１ｆと、鏡枠４の隔壁４ｃにおける嵌合部位であるＤ溝４ｃ１により構成されている。
即ち、光学部材１の下脚部１ｆをこのＤ溝４ｃ１に挿入すると、光学部材１は、光軸を中心とした回転が規制されるので、水平方向の２軸の位置決めがなされるようになっている。
【００４４】
位置決め電気部品８は、例えば、コンデンサ、抵抗、ダイオード等であり、図１において、基板ＰＣ上の撮像素子２と鏡枠４との間であって、鏡枠４に近接して配置されている。また、基板ＰＣから域決め電気部品８の上端部までの高さは、基板ＰＣから撮像素子２の上端部までの高さよりも高くなっている。また図６において、位置決め電気部品８は、鏡枠４の固着部位（図６の破線で矩形に囲んだ部分）内側の４角を囲むようにして４つ設けられている。従って、この位置決め電気部品８は、鏡枠４を基板ＰＣ上に固着する際の、鏡枠４の位置決め指標となる。また、位置決め電気部品８の上端が撮像素子２の上端よりも高くなっているので、鏡枠４が、撮像素子２に接触して撮像素子２のワイヤＷ等を傷つけるのを防ぐ。
尚、位置決め電気部品８は、例えば、コンデンサ、抵抗、ダイオード等に限らず、撮像装置１０に必要な電気部品であればよい。
【００４５】
電気部品９は、位置決め電気部品８以外に撮像装置１０を動作させるために必要な電気部品である。
【００４６】
本実施の形態の動作について説明する。
光学部材１のレンズ部１ａは、被写体像を、撮像素子２の光電変換部２ａに結像する。撮像素子２は、受光した光の量に応じた電気的信号を画像信号等に変換し、パッド２ｃおよびワイヤＷを介して出力できるようになっている。
【００４７】
更に、本実施の形態においては、光学部材１を基板ＰＣ上に取り付けるのではなく、撮像素子２の処理部２ｂ上に取り付けているので、光学部材１の脚部１ｃの寸法精度、即ち、上述した距離Ｌの精度を管理することで、組み付け時に、レンズ部１ａの合焦位置に関する調整を不要にできる。尚、合焦位置に関する調整を不要とするためには、撮像素子２の光電変換部２ａと、光学部材１のレンズ部１ａの像点のズレを、空気換算長で±Ｆ×２Ｐ（Ｆ：レンズ部のＦナンバー、Ｐ：撮像素子の画素ピッチ）程度に抑える必要がある。
【００４８】
又、本実施の形態によれば、光学部材１の脚部１ｃの当接部１ｄが、撮像素子２の処理部２ｂに当接することで、レンズ部１ａと撮像素子２の光電変換部２ａとの光軸方向の位置決めを行うことができる。又、鏡枠４が、基板ＰＣに撮像素子２の光電変換部２ａを位置決め基準として設置されることで、レンズ部１ａと撮像素子２の光電変換部２ａとの光軸直交方向の位置決めが行われるので、低コストでありながら高い位置決め精度を達成できることとなる。
【００４９】
また、鏡枠４が基板ＰＣに接着剤により接着されており、他の２ヶ所の接着部とあわせて、撮像装置１０の外部に対して、異物が侵入しないよう密封された状態に維持されるため、撮像素子２の光電変換部２ａに対する異物の悪影響を排除することができる。これらに用いる接着剤は、吸湿性を有するのが好ましい。これにより、鏡枠４の内部の湿気を吸収し、湿気による撮像素子２やパッド２ｃの表面劣化を防ぐことができる。
【００５０】
更に、光学部材１の上脚部１ｅの上面を、所定の弾性力で光軸方向に押圧する押圧部材７を設けているので、かかる押圧部材７の弾性力を用いて、鏡枠４に対して光軸方向に沿って、脚部１ｃを撮像素子２の処理部２ｂに適切な当接力（上述した５ｇ以上５００ｇ以下の荷重に相当する力）で押し付けることができる。従って、光学部材１と、撮像素子２との光軸方向の位置決めが容易であるにもかかわらず、経時変化により部品に反りなどの変形が生じたような場合にも、安定した弾性力で、光学部材１を撮像素子２に対して付勢することができ、それにより振動が生じた際における光学部材１のガタつきを抑えることができ、しかも衝撃が生じた際に、内側に回路が配置された撮像素子２の処理部２ｂに過大なストレスを生じさせることがない。また、鏡枠４の光軸方向に衝撃力などの大きな力が加わった場合、その力は基板ＰＣに伝達されるが、直接撮像素子２に伝達されることはなく、撮像素子２の保護という観点から好ましい。尚、押圧部材７としては、例えば、コイルばねなどの弾性部材を用いる。また、ウレタンやスポンジなども考えられるが、長期間安定した弾性力を発揮できる樹脂製や金属製の弾性材料が好ましい。
【００５１】
また、カバー部材であるフィルタ６を弾性部材により構成し、遮光板５がフィルタ６を押圧することで光学部材１を押圧する構成でもよいし、更にカバー部材１１である遮光板５を弾性部材により構成し、遮光板５が直接、光学部材１に押圧を加える構成にしてもよい。このように、カバー部材と押圧部材７を一体化することにより、撮像装置の組立工数を減らすことができる。
【００５２】
また、遮光板５とフィルタ６とで構成されるカバー部材１１を、レンズ部１ａより被写体側に配置しているので、レンズ部１ａを剥き出しにすることなく、その保護が図れると共に、レンズ面への異物の付着防止も図れる。更に、フィルタ６が、赤外線吸収特性を有する物質から形成されているので、別個に赤外線カットフィルタを設ける必要がなくなり、部品点数を削減できるため好ましい。フィルタ６に赤外線カット特性を付与する代わりに、光学部材１自体を赤外線吸収特性のある素材から形成したり、レンズ部１ａの表面に、赤外線カット特性を有する被膜をコーティングすることも考えられる。
【００５３】
更に、組み付け時において、遮光板５を鏡枠４から取り外した状態で、光学部材１を、鏡枠４に対して被写体側より挿入することができ、その後、遮光板５を鏡枠４に組み付けることができる。このような構成により、光学部材１の組み付け性が向上し、自動組立などを容易に行うことができる。この際に、鏡枠４の下部４ａいずれかに空気逃げの孔を形成しておくと、鏡枠４と光学部材１とのスキマがわずかであっても、容易に組み付けを行うことができる。但し、かかる空気逃げの孔は、組み付け後に充填材などで封止することで、外部からの異物の侵入や、湿気による撮像素子２およびパッド２ｃの表面劣化などを抑制することが好ましい。また、かかる場合の充填材は、光漏れを抑制するように遮光性のあるものが好ましい。尚、基板ＰＣに鏡枠４を接着した後に、光学部材１を挿入してもよく、或いは光学部材１を鏡枠４に取り付けた後に、そのユニット毎、基板ＰＣに接着するようにしてもよく、それにより工程の自由度が確保される。後者の組み付け手順とする場合は、鏡枠４の隔壁４ｃは光学部材１の抜け落ち防止の機能をかねることができる。
【００５４】
また、光学部材１の脚部１ｃが、撮像素子２の光電変換部２ａの近くに配置されているため、結像に寄与しない光束が脚部１ｃに反射し、光電変換部２ａに入射することで、ゴーストやフレアが生じる原因となることが懸念される。これを防止するには、レンズ部１ａのＦナンバーを規定する第１の絞り（開口３ａ）の被写体側に、周辺光束を規制する第２の絞り（開口５ａ）を配置し、不要光の入射を低減させるのが効果的である。なお、撮像素子２の光電変換部２ａの短辺・長辺、対角方向で画角が異なるため、第２の絞りの開口５ａを矩形とすることで、より一層の効果が得られる。更に、本実施の形態では、遮光板５の開口５ａにこの機能を持たせているが、フィルタ６の被写体側に遮光性を有する被膜を必要な開口部以外にコーティング、もしくは塗布することで絞りを形成してもよい。又、同様な理由により、脚部１ｃの少なくとも一部に内面反射防止処理を施すのが好ましい。内面反射防止処理とは、例えば、微小な凹凸を設けた面を形成し、結像に寄与しない光束を散乱させるようにすること、反射防止コーティングまたは低反射特性を有する塗料を塗布することを含む。
【００５５】
又、開口３ａを備えた絞り板３をレンズ部１ａの入射面側に設けているので、撮像素子２の光電変換部２ａに入射する光束を垂直に近い角度で入射させ、即ち、テレセントリックに近いものとすることができ、それにより高画質な画像を得ることができる。更に、レンズ部１ａの形状は、像側に強い曲率の面を向けた正レンズの形状とすることで、第１の絞り（開口３ａ）とレンズ部１ａの主点との間隔が大きくとれ、よりテレセントリックに近い望ましい構成となる。
【００５６】
以上説明した第１の実施の形態の撮像装置１０によれば、光学部材１は、押圧部材７により所定の押圧力で付勢されて、撮像素子２に直接当接されるので、撮像装置１の各構成部材の寸法精度を安定させて組み付けることにより、レンズ部の光軸方向の合焦位置を調整することができ、組み付け時および組み付け後に、レンズ部１ａの光軸方向の合焦位置に関する調整を不要とすることができる。更に、下脚部１ｆと、鏡枠４とが嵌合する嵌合部位が光軸に対して垂直な断面視において円の外周の２点を結ぶ線によって切り欠かかれた略Ｄ字形状となっているので、レンズ部１ａの回転方向の位置決めがなされるとともに、レンズ部１ａが回転することを防止できる。
従って、光学部材１のレンズ部１ａの三軸方向の位置決めを精度よく、且つ容易に行うことができる。
なお、嵌合部位は上脚部１ｆに設けてもよい。即ち、上脚部１ｆの形状をＤ字形状とし、鏡枠４の上部１ｂにＤ字に対応したＤ溝を設けて、該Ｄ溝に上脚部１ｆを嵌合させてもよい。
【００５７】
〔第２の実施の形態〕
図７は、本実施の形態にかかる撮像装置１０’の断面図である。第２の実施の形態においては、上述した第１の実施の形態に対して、光学部材の回転止機構の構成のみ異なるため、その他の同様な構成に関しては、同一符号を付して説明を省略する。
【００５８】
図７において、光学部材１’と、鏡枠４’とは、図８、図９に示すように、例えば、嵌合部位Ｋ１に嵌合され、当接部位Ｋ２で当接される。嵌合部位Ｋ１は、当接部位Ｋ２によりもレンズ部１ａに近い位置に設けられ、また、当接部位Ｋ２に比べて光軸と垂直な断面において外径が大きくなっている。
光学部材１’側の嵌合部位Ｋ１に相当する上脚部１ｅ’は、図８、図９に示すように、光軸と垂直な面において略円形状に形成され、その一部に水平方向に突出した突出部１ｅ１が形成されている。
この突出部１ｅ１は、下方に向かって幅狭なテーパ形状となっており、例えば、鋳型により成形した光学部材１’をゲートカットするときに、ゲート（図示省略）の一部を残すことにより形成される。
【００５９】
一方、嵌合部位Ｋ１における鏡枠４’の上部４ｂ’には、上脚部１ｅ’の突出部１ｅ１の形状に対応したテーパ溝４ｂ１が設けられ、このテーパ溝４ｂ１に突出部１ｅ１が嵌合されるようになっている。
従って、この第２の実施の形態の撮像装置１０’においては、光学部材１’の突出部１ｅ１と鏡枠４’のテーパ溝４ｂ１とにより、光学部材１’の回転止機構が形成されている。
【００６０】
光学部材１’側の当接部位Ｋ２における下脚部１ｆ’は、図８、図１０に示すように、光軸に対して垂直な断面において略円形状に形成され、一方、当接部位Ｋ２における鏡枠４’の隔壁４ｃ’には、下脚部１ｆ’の略円形状に対応した略円形溝４ｃ２が設けられている。
【００６１】
上記第２の実施の形態の撮像装置１０’によれば、光学部材１’は、押圧部材７により所定の押圧力で付勢されて、撮像素子２に直接当接されるので、撮像装置１０’の各構成部材の寸法精度を安定させて組み付けることにより、レンズ部１ａの光軸方向の合焦位置を調整することができ、組み付け時および組み付け後に、レンズ部１ａの光軸方向の合焦位置に関する調整を不要とすることができる。更に、上脚部１ｅ’と、鏡枠４’とが嵌合する嵌合部位Ｋ１に設けられた回転止機構により、レンズ部１ａの回転方向の位置決めがなされるとともに、レンズ部１ａが回転することを防止できる。
従って、レンズ部１ａの三軸方向の位置決めを精度よく、且つ容易に行うことができる。
【００６２】
また、光学部材１’と鏡枠４’とは、当接部位Ｋ２で当接された状態で、嵌合部位Ｋ１で嵌合されるので、光学部材１’がより強固に鏡枠４’に固定される。
また、鏡枠４’に光学部材１’を上方から組み付ける場合、まず、当接部位Ｋ２において、鏡枠４’の略円形溝４ｃ２に下脚部１ｆ’が当接され、次いで、嵌合部位Ｋ１において、鏡枠４のテーパ溝４ｂ１に上脚部１ｅ’の突出部１ｅ１が嵌合される。従って、当接部位Ｋ２に当接させた状態では、まだ、光軸を中心とした回転方向の自由度があるため、回転方向に回しながら嵌合部位Ｋ１の嵌合を行うことができることとなって、組立作業がしやすい。
【００６３】
また、嵌合部位Ｋ１の外径は、当接部位Ｋ２の外径よりも大きいので、鏡枠４’に光学部材１’を嵌合させた後、鏡枠４’を基板ＰＣに接着するようにしても光学部材１’が抜け落ちることがないため、それにより工程の自由度が確保される。
更に、突出部１ｅ１は、下方に向かって幅狭のテーパ形状を有し、テーパ溝４ｃ１は突出部１ｅ１のテーパに対応した形状となっているので、より回転止めの位置決め精度を向上できる。
【００６４】
なお、上記第２の実施の形態における嵌合部位Ｋ１においては、光学部材１’の上脚部１ｅ’に突出部１ｅ１を設け、鏡枠４’の上部４ｂ’にテーパ溝４ｂ１を設けたが、図１１、図１２に示すように、光学部材１”の上脚部１ｅ”に溝部１ｅ２を設け、鏡枠４”の上部４ｂ”に突出部４ｂ２を設けるようにしてもよい。
また、嵌合部位Ｋ１における上脚部１ｅ’の形状を水平方向断面がＤ字形状となるようにしてもよい。
【００６５】
以上、本発明を実施の形態を参照して説明してきたが、本発明は上記実施の形態に限定して解釈されるべきでなく、適宜変更・改良が可能であることは勿論である。例えば、本実施の形態では、光学部材１の当接部１ｄを撮像素子２の上面に当接させているが、基板ＰＣと当接させてもよいし、或いは撮像素子２及び基板ＰＣの両方に当接させてもよい。
回転止機構は、上記実施の形態に例示したものに限らず、例えば、嵌合部位をＩ字形状としてもよい。
更に、本実施の形態では、撮像素子２をベアチップである構成としたが、その上面又は下面にガラス、フィルムなどの保護部材を張り付けることで、より丈夫な構成とすることも考えられる。また、基板ＰＣは、ハードなものに限らず、フレキシブルなものであってもよい。
本発明の撮像装置は、携帯電話、パーソナルコンピュータ、ＰＤＡ、ＡＶ装置、テレビ、家庭電化製品など、種々のものに組み込むことが可能と考えられる。
【００６６】
【発明の効果】
本発明によれば、光学部材は、押圧部材により所定の押圧力で付勢されて、基板或いは撮像素子に直接当接されるので、撮像装置の各構成部材の寸法精度を安定させて組み付けることにより、レンズ部の光軸方向の合焦位置を調整することができ、組み付け時および組み付け後に、レンズ部の光軸方向の合焦位置に関する調整を不要とすることができる。更に、光学部材と、外枠部材とが嵌合する嵌合部位に設けられた回転止機構により、レンズ部の回転方向の位置決めがなされるとともに、レンズ部が回転することを防止できる。
従って、レンズの三軸方向の位置決めを精度よく、且つ容易に行うことができる。
【００６７】
また、本発明によれば、光学部材と外枠部材とは、当接部位で当接された状態で、嵌合部位で嵌合されているので、光学部材を外枠部材により強固に嵌合させることができることとなって、よりレンズの三軸方向の位置決めを精度よく行うことができる。
【００６８】
加えて、嵌合部位は、当接部位よりもレンズ部側に設けられているので、外枠部材に光学部材を上方から挿入して組み立てる場合に、最初に当接部位が当接され、その後に嵌合部位が嵌合されることとなる。従って、外枠部材が当接部位に挿入された状態では、回転方向の自由度があるため、組立作業がしやすい。
【００６９】
更に、嵌合部位の外径は、当接部位の外径よりも大きいので、外枠部材に光学部材を嵌合させた後、外枠部材を基板に固着するようにしても光学部材が抜け落ちることがない。
【００７０】
また、カバー部材により押圧部材に所定の押圧力が作用されるので、光学部材と、撮像素子との光軸方向の位置決めが容易であるにもかかわらず、経時変化により部品に反りなどの変形が生じたような場合にも、安定した弾性力で、光学部材を撮像素子に対して付勢することができ、それにより振動が生じた際における光学部材のガタつきを抑えることができ、しかも衝撃が生じた際に、内側に回路が配置された撮像素子の処理部に過大なストレスを生じさせることがない。
さらに、カバー部材と押圧部材とが一体化されているので、組立工数を削減することができる。
【図面の簡単な説明】
【図１】本発明の第１の実施の形態にかかる撮像装置の断面図である。
【図２】本発明の第１の実施の形態にかかる撮像装置の斜視図である。
【図３】本発明の第１の実施の形態にかかる光学部材の斜視図である。
【図４】本発明の第１の実施の形態にかかる光学部材の下面図である。
【図５】図１のＶ−Ｖ部の要部の断面図である。
【図６】本発明の第１の実施の形態にかかる撮像素子の上面図である。
【図７】本発明の第２の実施の形態にかかる撮像装置の断面図である。
【図８】本発明の第２の実施の形態にかかる光学部材の斜視図である。
【図９】図７のＩＸ−ＩＸ部の要部の断面図である。
【図１０】図７のＸ−Ｘ部の要部の断面図である。
【図１１】本発明にかかる光学部材の変形例を示す斜視図である。
【図１２】図１１の変形例における回転止機構を説明するための図である。
【図１３】従来技術の撮像装置の一例を示す縦断面図である。
【符号の説明】
１、１’、１”          光学部材
１ａ                  レンズ部
１ｂ                  上面部
１ｃ                  脚部
１ｄ                  当接部
１ｅ、１ｅ’、１ｅ”  上脚部
１ｅ１                突出部
１ｅ２                溝部
１ｆ、１ｆ’          下脚部
２                    撮像素子
２ａ                  光電変換部（受光面）
４、４’、４”          鏡枠
４ａ                  下部
４ｂ、４ｂ’、４ｂ”    上部
４ｂ１                テーパ溝
４ｂ２                突出部
４ｃ、４Ｃ’          隔壁
４ｃ１                Ｄ溝
４ｃ２                略円形溝
５                    遮光板（カバー部材）
５ａ                  開口
５ｄ                  開口
６                    フィルタ（カバー部材）
７                    押圧部材
１０、１０’          撮像装置
ＰＣ                  基板
Ｂ                    接着剤
Ｋ１                  嵌合部位
Ｋ２                  当接部位
Ｗ                    ワイヤ
【図１】
0004061936.tif 000002
【図２】
0004061936.tif 000003
【図３】
0004061936.tif 000004
【図４】
0004061936.tif 000005
【図５】
0004061936.tif 000006
【図６】
0004061936.tif 000007
【図７】
0004061936.tif 000008
【図８】
0004061936.tif 000009
【図９】
0004061936.tif 000010
【図１０】
0004061936.tif 000011
【図１１】
0004061936.tif 000012
【図１２】
0004061936.tif 000013
【図１３】
0004061936.tif 000014